(57)【要約】【課題】換気送風機器等に使用される送風装置において、羽根車に堆積する埃などの汚れ具合を容易に確認でき、掃除がしやすい送風装置を提供することを目的とする。【解決手段】箱状のフレーム２と、フレーム２の内部に吸込口３を有するケーシング４と、ケーシング４の内部に遠心羽根車５と、遠心羽根車５を回転駆動する電動機６とを備えた遠心送風機１において、遠心羽根車５のブレード正圧面側を含めた遠心羽根車５に光を照射する照射手段としての発光ダイオード１１を備えた構成にしたことにより、空気中の埃などの汚れが付着しやすい遠心羽根車５のブレード正圧面側を含めた遠心羽根車５に対して光を照射することで、遠心羽根車５の汚れ具合の状態を容易に確認でき、羽根車の掃除がしやすい送風装置を得られる。【選択図】図１
2010286205.tif 000002
【特許請求の範囲】
【請求項１】
一面が開口した箱状のフレームと、前記フレームの内部に吸込口を有するケーシングと、前記ケーシングの内部に羽根車と、前記羽根車を回転駆動する電動機とを備えた送風装置において、前記羽根車のブレード正圧面側を含めた前記羽根車に光を照射する照射手段とを備えたことを特徴とした送風装置。
【請求項２】
照射手段を、吸込口を塞がない位置に配設したことを特徴とした請求項１に記載の送風装置。
【請求項３】
照射手段を、前記ケーシングと前記フレームの間の空間に配設したことを特徴とした請求項２に記載の送風装置。
【請求項４】
照射手段を、前記ケーシングの吸込側から見たとき、前記羽根車を挟んで対象となるように２つ以上配設したことを特徴とした請求項３に記載の送風装置。
【請求項５】
照射手段を、着脱可能に配設したことを特徴とした請求項３〜４いずれかに記載の送風装置。
【請求項６】
照射手段を、前記ケーシングの内壁側空間と、前記羽根車の外周側空間との間に配設したことを特徴とした請求項２に記載の送風装置。
【請求項７】
照射手段を、前記羽根車のブレードに垂直に光を照射するように配設したことを特徴とした請求項６に記載の送風装置。
【請求項８】
照射手段を、前記ケーシングの吸込口から見たとき、前記羽根車を挟んで対称となるように２つ以上配設したことを特徴とした請求項６〜７いずれかに記載の送風装置。
【請求項９】
発光手段を、前記羽根車の内周側空間に配設したことを特徴とした請求項２に記載の送風装置。
【請求項１０】
送風装置は、前記フレームの開口部にルーバーを備え、前記ルーバーの取り外しに対して、前記ルーバーの取り外しを検出する検出手段と、前記検出手段の検出に基づいて前記照射手段を起動させる制御手段とを備えたことを特徴とした請求項１〜９いずれかに記載の送風装置。
【請求項１１】
検出手段を、リミットスイッチで構成したことを特徴とした請求項１０に記載の送風装置。
【請求項１２】
リミットスイッチは、前記ルーバーの着脱機構と組み合わせて配設したことを特徴とした請求項１１に記載の送風装置。
【請求項１３】
リミットスイッチをルーバーの着脱機構としたことを特徴とした請求項１２に記載の送風装置。
【請求項１４】
制御手段は、前記検出手段の検出に基づいて、前記発光手段のＯＮ／ＯＦＦを制御することを特徴とした請求項１０〜１３いずれかに記載の送風装置。
【請求項１５】
照射手段は、送風装置が停止しても起動できることを特徴とした請求項１〜１４いずれかに記載の送風装置。
【請求項１６】
照射手段を、発光ダイオードで構成したことを特徴とした請求項１〜１５いずれかに記載の送風装置。
【発明の詳細な説明】
【技術分野】
【０００１】
本発明は、換気空調機器等に使用される送風装置に関するものである。
【背景技術】
【０００２】
従来、この種の送風装置は、天井等に本体を設置し、ダクトを介して屋外と連通し室内の汚染空気を屋外に排出する天井埋込型換気扇が知られている（例えば、特許文献１参照）。以下、その送風装置について図９を参照しながら説明する。図９に示すように、下面にルーバー１０１で覆われる吸込口１０２を有し、側面に吹出口１０３を設けた箱状のフレーム１０４と、屋外と連通するダクト１０５を接続するアダプター１０６と、フレーム１０４の内部には下面に吸込口であるオリフィス１０７を有したスクロール形状のケーシング１０８と、ケーシング１０８内に送風を行う遠心送風羽根車１０９と、遠心送風羽根車１０９を回転駆動する電動機１１０を備え構成している。
【先行技術文献】
【特許文献】
【０００３】
【特許文献１】特開２００３−０６５５８１号公報
【発明の概要】
【発明が解決しようとする課題】
【０００４】
このような従来の送風装置においては、グリルを外した状態で、上を向きながら羽根車に堆積したほこりなどの汚れを掃除する構成となっていたので、掃除を行う際に、送風装置内部は薄暗く、羽根車の汚れ具合の状態をわかりにくいことにより、羽根車に堆積したほこりなどの汚れの掃除がしにくいという課題を有していた。
【０００５】
そこで本発明は、上記従来の課題を解決するものであり、掃除を行う際に、羽根車の汚れ具合を容易に確認することができ、羽根車の掃除をしやすくする送風装置を提供することを目的としている。
【課題を解決するための手段】
【０００６】
そして、この目的を達成するために、本発明は、汚れの付着しやすい羽根車のブレード正圧面側を含めた羽根車に対して光を照射する照射手段を備えたものであり、これにより所期の目的、すなわち、掃除を行う際に、羽根車の汚れ具合を容易に確認することができ、羽根車の掃除をしやすくする送風装置を提供することができるという目的を達成するものである。
【発明の効果】
【０００７】
本発明によれば、汚れの付着しやすい羽根車のブレード正圧面側を含めた羽根車に対して光を照射する照射手段を備えた構成としたことにより、羽根車に付着した汚れの具合を確認しやすくなるので、羽根車の掃除がしやすいという効果を得ることができる。
【図面の簡単な説明】
【０００８】
【図１】本発明の実施の形態１の遠心送風機を示す斜視図
【図２】同側断面図
【図３】同制御装置のブロック図
【図４】同着脱構造の軸方向に垂直な断面図
【図５】同側断面図
【図６】本発明の実施の形態２の遠心送風機を示す側断面図
【図７】同側断面図
【図８】本発明の実施の形態３の遠心送風機を示す側断面図
【図９】従来の遠心送風機を示す側断面図
【発明を実施するための形態】
【０００９】
本発明の請求項１記載の送風装置は、一面が開口した箱状のフレームと、前記フレームの内部に吸込口を有するケーシングと、前記ケーシングの内部に羽根車と、前記羽根車を回転駆動する電動機とを備えた送風装置において、前記羽根車のブレード正圧面側を含めた前記羽根車に光を照射する照射手段とを備えた構成を有する。これにより、送風装置のなかで、汚れの付着しやすい羽根車のブレード正圧面側を含めた羽根車に対して光を照射することで、羽根車の汚れ具合の状態を容易に確認できるので、羽根車の掃除がしやすくなるという効果を奏する。
【００１０】
また、照射手段を、吸込口を塞がない位置に配設した構成にしてもよい。これにより、照射手段が風の流入を妨げなくなるので、送風装置の換気機能に悪影響を及ぼさない構造を容易に作製できるという効果を奏する。
【００１１】
また、照射手段を、前記ケーシングと前記フレームの間の空間に配設した構成にしてもよい。これにより、フレームの開口部付近から羽根車に向けて光を照射することで光を直接目に入れることがなくなるので、ブレードに付着した汚れ具合を容易に確認することができるという効果を奏する。
【００１２】
また、照射手段を、前記ケーシングの吸込側から見たとき、前記羽根車を挟んで対象となるように複数配設した構成にしてもよい。これにより、羽根車を挟んで複数の方向から光を照射するので、ブレードの正圧面側を含めたブレード全体を一様に照らしてブレードに付着した汚れ具合を容易に確認できるという効果を奏する。
【００１３】
また、照射手段を、着脱可能に配設した構成にしてもよい。これにより、照射手段に付着する汚れの掃除を容易に行うことができ、発光手段の寿命がきても容易に交換することができるので、メンテナンス性を向上できるという効果を奏する。
【００１４】
また、照射手段を、前記ケーシングの内壁側空間と、前記羽根車の外周側空間との間に配設した構成にしてもよい。これにより、照射手段をケーシング内部に収納することができるので、フレーム内部の見た目をすっきりさせることができるという効果を奏する。
【００１５】
また、照射手段を、前記羽根車のブレードに垂直に光を照射するように配設した構成にしてもよい。これにより、照射された光は羽根車の外周側からブレード間の隙間を通って、反対側のブレードを照らすので、ブレードに付着した汚れを容易に確認することができるという効果を奏する。
【００１６】
また、照射手段を、前記ケーシングの吸込口から見たとき、前記羽根車を挟んで対称となるように複数配設した構成にしてもよい。これにより、羽根車を挟んで複数の方向から光を照射するので、ブレードの正圧面側を含めたブレード全体を一様に照らしてブレードに付着した汚れ具合を容易に確認することができるという効果を奏する。
【００１７】
また、発光手段を、前記羽根車の内周側空間に配設した構成にしてもよい。これにより、ブレード正圧面側を含めた羽根車全体を一様に照らせるので、ブレードに付着した汚れ具合を容易に確認することができるという効果を奏する。
【００１８】
また、送風装置は、前記フレームの開口部にルーバーを備え、前記ルーバーの取り外しに対して、前記ルーバーの取り外しを検出する検出手段と、前記検出手段の検出値に基づいて前記照射手段を起動させる制御手段とを備えた構成にしてもよい。これにより、照射手段を掃除のときのルーバーの取り外しに合わせて光を照射するので、照射手段を起動する手間を省くことができ、メンテナンス性を向上できるという効果を奏する。
【００１９】
また、検出手段を、リミットスイッチで構成してもよい。これにより、ルーバー取り外しの検出にリミットスイッチのＯＮ／ＯＦＦを用いることができるので、ルーバーの取り外しと発光手段の連動の仕組みを容易に作製することができるという効果を奏する。
【００２０】
また、リミットスイッチは、前記ルーバーの着脱機構と組み合わせて配設してもよい。これにより、ルーバーの着脱機構と組み合わせることで、ルーバーの取り外しと照射手段の連動の仕組みを容易に作製することができるという効果を奏する。
【００２１】
また、リミットスイッチを、ルーバーの着脱機構としてもよい。これにより、リミットスイッチをルーバーの着脱機構としたので、リミットスイッチがルーバーの着脱機構と兼用でき、リミットスイッチとルーバーの着脱機構を別々に設ける必要がなく、送風装置内部の省スペース化ができるという効果を奏する。
【００２２】
また、制御手段は、前記検出手段の検出に基づいて、前記発光手段のＯＮ／ＯＦＦを制御する構成としてもよい。これにより、検出手段の検出に基づいて照射手段を制御することができるので、ルーバーの取り外しと照射手段の連動の仕組みを容易に作製することができるという効果を奏する。
【００２３】
また、照射手段は、送風装置が停止しても起動できる構成としてもよい。これにより、照射手段と電動機の電源を別にすることで送風装置を停止させても照射手段を起動できるので、羽根車を止めた状態でブレードに付着した汚れの状態を確認でき、容易に掃除することができるという効果を奏する。
【００２４】
また、照射手段を、発光ダイオードで構成してもよい。これにより、照射手段に発光ダイオードを用いることで、照射手段を長寿命化することができるという効果を奏する。
【００２５】
以下、本発明の実施の形態について図面を参照しながら説明する。
【００２６】
（実施の形態１）
図１および図２に示すように、例えば、浴室やトイレなどの空間を換気するために天井に取り付けられる天井埋込型換気扇として使用される遠心送風機１は、フレーム２と、フレーム２の内部にベルマウス状の吸込口３を備えたスクロール状のケーシング４の内部に遠心羽根車５と、遠心羽根車５を回転駆動する電動機６と、フレーム２の側面７の開口を介して連通するアダプター８とを備え、フレーム２の開口部１３を覆うルーバー９の着脱機構１４と、ルーバー９の取り外しを検出する検出手段としての、例えば、リミットスイッチ１０と、羽根車に向けて光を照射する照射手段としての、例えば、発光ダイオード１１とを備えた制御装置１２を備えた構成となっている。
【００２７】
図３において、制御装置１２はルーバー９の取り外しを、例えば、検出手段としてのリミットスイッチ１０のＯＮ／ＯＦＦを利用して検出し、その検出に基づいてマイコン１５を解して照射手段としての発光ダイオード１１の起動を制御する構成となっている。遠心送風機１を停止させた状態でルーバー９を取り外すと、検出手段としてのリミットスイッチ１０がＯＮになると同時に照射手段としての発光ダイオード１１が点灯して遠心羽根車５に向けて光を照射し、ルーバー９を取り付けると、検出手段としてのリミットスイッチ１０がＯＦＦになると同時に照射手段としての発光ダイオード１１が消灯する制御、マイコ制御となっている。
【００２８】
図４において、図４（ａ）は着脱機構１４にルーバー９が挿入されている状態を示しており、検出手段としてのリミットスイッチ１０はルーバー９に遮られて接触端子１７に接触せず、ＯＦＦの状態であるが、図４（ｂ）は着脱機構１４からルーバー９が取り外された状態を示しており、検出手段としてのリミットスイッチ１０は接触端子１７と接触することで、ＯＮの状態となる構成となっている。
【００２９】
また、ルーバー９の取り外しと同時に、検出手段としてのリミットスイッチ１０がＯＮになり、照射手段としての発光ダイオード１１が遠心羽根車５に向けて光を照射する構成となっている。
【００３０】
また、照射手段としての発光ダイオード１１は、電動機６を停止させても起動する構成となっている。
【００３１】
また、照射手段としての発光ダイオード１１は、例えば、電源端子に差し込み構造となっており、容易にワンタッチで着脱可能な構成となっている。
【００３２】
このような構成によれば、電動機６から駆動力を与えて遠心羽根車５を回転させることにより、吸込み空気がルーバー９と、フレーム２の開口部１３と、ケーシング４の吸込口３を通って遠心羽根車５に導かれて昇圧され、ケーシング４を通る際に徐々に動圧が静圧に変換され、吐出口１６からアダプター８を介して外部へ排出される。
【００３３】
このとき、運転時間に応じて、遠心羽根車５には空気中の埃などの汚れが堆積していき、風量の低下や騒音の増加、埃の落下などが発生するため、遠心羽根車５を掃除する必要がある。遠心送風機１を停止させた状態でルーバー９を取り外すと、検出手段としてのリミットスイッチ１０がＯＮになり、同時に照射手段としての発光ダイオード１１が点灯して遠心羽根車５に向けて光を照射し、遠心羽根車５の汚れ具合を確認するのが容易になり、掃除をしやすくできる。
【００３４】
以上のように、遠心羽根車５に向けて照射手段としての発光ダイオード１１から光を照射することにより、遠心羽根車５に堆積する汚れ具合を容易に確認でき、掃除をしやすくできる。
【００３５】
また、制御装置１２を、吸込口３を塞がない位置に配設したことで、空気の流入を妨げず、換気機能に悪影響を及ぼさない構造を容易に作製できる。
【００３６】
また、照射手段としての発光ダイオード１１を、ケーシング４とフレーム２の間の空間に配設したことにより、開口部１３付近から遠心羽根車５に向けて光を照射することにより、光が直接目に当たることなく、汚れ具合を確認することができる。
【００３７】
また、照射手段としての発光ダイオード１１を、電源端子に差し込み構造としたことにより、容易にワンタッチで着脱可能な構成となり、着脱可能に配設したことで、照射手段としての発光ダイオード１１に付着する汚れの掃除や、照射手段としての発光ダイオード１１の寿命が来た場合の交換が容易になり、メンテナンス性を向上できる。
【００３８】
また、ルーバー９の取り外しと同時に検出手段としてのリミットスイッチ１０がＯＮになり、照射手段としての発光ダイオード１１が点灯し、照射手段としての発光ダイオード１１を点灯させる手間を省き、メンテナンス性を向上できる。
【００３９】
また、検出手段をリミットスイッチ１０で構成したことで、リミットスイッチ１０のＯＮ／ＯＦＦでルーバー９の取り外しと照射手段としての発光ダイオード１１の連動の仕組みを容易に作製できる。
【００４０】
また、リミットスイッチ１０をルーバー９の着脱機構１４と組み合わせたことで、ルーバー９の取り外しと照射手段としての発光ダイオード１１の連動の仕組みを容易に作製できる。
【００４１】
また、リミットスイッチ１０をルーバー９の着脱機構１４と兼用したことにより、リミットスイッチ１０とルーバーの着脱機構を別々に設ける必要がなく、遠心送風機１の内部を省スペース化できる。
【００４２】
また、制御装置１２は、マイコン１５を介して、照射手段としての発光ダイオード１１のＯＮ／ＯＦＦを制御することで、ルーバー９の取り外しと照射手段としての発光ダイオード１１の連動の仕組みを容易に作製できる。
【００４３】
また、照射手段としての発光ダイオード１１は、遠心送風機１を停止しても起動することより、遠心羽根車５の掃除を容易に行うことができ、メンテナンス性を向上できる。
【００４４】
また、照射手段としての発光ダイオード１１を発光ダイオードで構成したことで、照射手段としての発光ダイオード１１を長寿命化できる。
【００４５】
なお、実施の形態において、照射手段としての発光ダイオード１１は１つとしたが、複数個を配設してもよく、図５に示すように、照射手段としての発光ダイオード１１を、遠心羽根車５を挟んで対称となるように複数個を配設することで、複数の方向から光が当たり、光量も増えるため、１つのときよりも、さらに汚れ具合を容易に確認することができる。
【００４６】
（実施の形態２）
図６において、図１から図５と同様の構成要素については同一の符号を付し、その詳細な説明は省略する。
【００４７】
図６は、照射手段としての発光ダイオード１１をケーシング４と遠心羽根車５の間に備えた構成となっている。
【００４８】
上記構成において、照射手段としての発光ダイオード１１は遠心羽根車５のブレードに垂直に光を照射し、翼間の隙間を通って光が照射されるため、遠心羽根車５の汚れ具合を確認するのが容易になり、掃除をしやすくできる。
【００４９】
以上のように、遠心羽根車５のブレードに垂直な方向で照射手段としての発光ダイオード１１から光を照射することにより、遠心羽根車５に堆積する汚れ具合を容易に確認でき、掃除をしやすくできる。
【００５０】
また、照射手段としての発光ダイオード１１をケーシング４と遠心羽根車５の間に備えたことにより、遠心送風機１の内部の見た目をすっきりさせることができる。
【００５１】
なお、実施の形態において、照射手段としての発光ダイオード１１は１つとしたが、複数個を配設してもよく、図７に示すように、照射手段としての発光ダイオード１１を遠心羽根車５を挟んで対称となるように複数個を配設することで、複数の方向から光が当たり、光量も増えるため、１つのときよりも、さらに汚れ具合を容易に確認することができる。
【００５２】
（実施の形態３）
図８において、図１から図７と同様の構成要素については同一の符号を付し、その詳細な説明は省略する。
【００５３】
図８は、照射手段としての発光ダイオード１１を遠心羽根車５の内周側空間に備えた構成となっている。
【００５４】
上記構成において、照射手段としての発光ダイオード１１は遠心羽根車５の内側から外側へ向けて全周を一様に照らすことができるため、遠心羽根車５の汚れ具合を容易に確認することができる。
【産業上の利用可能性】
【００５５】
本発明にかかる送風装置は、羽根車の汚れ具合を容易に確認でき、羽根車の掃除をしやすくすることを可能とするものであるので、換気空調機器等に使用される、送風装置として有用である。
【符号の説明】
【００５６】
１    遠心送風機
２    フレーム
３    吸込口
４    ケーシング
５    遠心羽根車
６    電動機
７    側面
８    アダプター
９    ルーバー
１０  リミットスイッチ
１１  発光ダイオード
１２  制御装置
１３  開口部
１４  着脱機構
１５  マイコン
１６  吐出口
１７  接触端子
【図１】
2010286205.tif 000003
【図２】
2010286205.tif 000004
【図３】
2010286205.tif 000005
【図４】
2010286205.tif 000006
【図５】
2010286205.tif 000007
【図６】
2010286205.tif 000008
【図７】
2010286205.tif 000009
【図８】
2010286205.tif 000010
【図９】
2010286205.tif 000011